(57)【要約】  患者の呼吸数を連続的にモニタリングする着用可能な装置であって、３個の慣性センサ（１０、１１、１２）で、１個目の慣性センサ（１０）は、腹部（１３）に配置され、２個目の慣性センサ（１１）は、胸部（１４）に配置され、３個目の、慣性基準センサ（１２）は、呼吸運動の影響を受けない身体の部分（１５）に、胴体に対して定位となるように配置されている３個の慣性センサを備えた装置。各慣性センサ（１０、１１、１２）は、加速度計、磁力計及びジャイロスコープを備えている。各慣性センサ（１０、１１、１２）は、前記加速度計、磁力計及びジャイロスコープに接続されたマイクロプロセッサを（２１）備えている。前記マイクロプロセッサ（２１）は、送信機（２２）に接続されており、信号を処理して、地球の基準系に対する前記３個の慣性センサの向きを示す四元数で表される信号を前記送信機（２２）に送るように構成されている。コントロールセンタ（３１）に接続された受信機（３０）が、１個目の慣性センサの腹部四元数、２個目の慣性センサの胸部四元数及び３個目の慣性センサの基準四元数を受信して、それらの四元数を前記コントロールセンタ（３１）に送信するように構成されている。前記コントロールセンタ（３１）は、受信した四元数を、基準四元数が腹部四元数及び胸部四元数の基準となるように処理をするよう構成されている。前記コントロールセンタ（３１）は、腹部四元数及び胸部四元数で表される信号を濾波して患者の動きと関連する残留成分を除去するバンドパス適応フィルタ（５５、５６）を備えている。前記コントロールセンタ（３１）は、濾波された腹部四元数及び濾波された胸部四元数で表される信号から呼吸数を計算するように構成されている。【選択図】図１
2020526341.tif 000002
【特許請求の範囲】
【請求項１】
患者の呼吸数を連続的にモニタリングする着用可能な装置であって、
３個の慣性センサ（１０、１１、１２）であって、１個目の慣性センサ（１０）は、腹部（１３）に配置され、２個目の慣性センサ（１１）は、胸部（１４）に配置され、３個目の、基準となり、慣性センサ（１２）は、呼吸運動の影響を受けない身体の部分（１５）に、胴体に対して定位となるように配置されており、各慣性センサ（１０、１１、１２）は、加速度計、磁力計及びジャイロスコープを備え、各慣性センサ（１０、１１、１２）は、前記加速度計、磁力計及びジャイロスコープに接続されたマイクロプロセッサ（２１）を備え、前記マイクロプロセッサ（２１）は、送信機（２２）に接続されており、信号を処理して、地球の基準系に対する前記３個の慣性センサの向きを示す四元数で表される信号を前記送信機（２２）に送るように構成されている３個の慣性センサと、
コントロールセンタ（３１）に接続され、１個目の慣性センサの腹部四元数、２個目の慣性センサの胸部四元数及び３個目の慣性センサの基準四元数を受信して、それらの四元数を前記コントロールセンタ（３１）に送信するように構成された受信機（３０）であって、前記コントロールセンタ（３１）は、受信した四元数を、基準四元数が腹部四元数及び胸部四元数の基準となるように処理をするよう構成されており、前記コントロールセンタ（３１）は、腹部四元数及び胸部四元数で表される信号を濾波して患者の動きと関連する残留成分を除去するバンドパス適応フィルタ（５５、５６）を備え、前記コントロールセンタ（３１）は、濾波された腹部四元数及び濾波された胸部四元数で表される信号から呼吸数を計算するように構成されている受信機を、
備えた装置。
【請求項２】
前記３個の慣性センサ（１０、１１、１２）は各々、前記腹部四元数、前記胸部四元数及び前記基準四元数を、前記コントロールセンタ（３１）に送信する送信機（２２）を備えていることを特徴とする請求項１に記載の装置。
【請求項３】
前記コントロールセンタ（３１）は、前記腹部四元数、前記胸部四元数及び前記基準四元数を、互いに同期化することを特徴とする請求項１又は２に記載の装置。
【請求項４】
前記コントロールセンタ（３１）は、濾波された腹部四元数によって表される信号及び濾波された胸部四元数によって表される信号から吸気時間及び呼気時間を計算することを特徴とする請求項１〜３の何れか１に記載の装置。
【請求項５】
患者の呼吸数を連続的にモニタリングする方法であって、
１番目の慣性センサ（１０）を腹部（１３）に配置する工程と、２番目の慣性センサ（１１）を胸部（１４）に配置する工程と、３番目の、基準となる、慣性センサ（１２）を呼吸運動の影響を受けない身体の部分（１５）に、胴体に対して定位となるように配置する工程を含み、これらの工程においては、各慣性センサ（１０、１１、１２）が加速度計、磁力計及びジャイロスコープ並びに前記加速度計、磁力計及びジャイロスコープからの信号を受信するマイクロプロセッサ（２１）を備えており、前記マイクロプロセッサ各々が、前記信号を処理し、地球の基準系に対する前記３個の慣性センサの向きを示す四元数によって表される信号をもたらし、さらに前記１番目の慣性センサ（１０）の空間的向きを表す１番目の四元数をコントロールセンタ（３１）に送る工程と、前記２番目の慣性センサ（１１）の空間的向きを表す２番目の四元数を前記コントロールセンタ（３１）に送る工程と、前記３番目の慣性センサの空間的向きを表す３番目の四元数を前記コントロールセンタ（３１）に送る工程と、前記１番目の四元数（４０）及び前記２番目の四元数の向きを、前記３番目の四元数（４２）と基準として関連付けて、それぞれ４番目の四元数（４３）及び５番目の四元数（４４）をもたらす工程と、前記４番目及び５番目の四元数を、バンドパス適応フィルタ（５５、５６）によって濾波し、患者の動きと関連する残留成分を除去する工程と、前記４番目及び５番目の四元数から呼吸数を計算する工程を含む方法。
【請求項６】
前記４番目及び５番目の四元数の主成分を決定する工程、前記主成分のピークを測定する工程、前記主成分のスペクトル密度のピークを測定する工程、前記適応フィルタ（５５、５６）のカットオフ周波数を、スペクトル密度の前記ピークの周波数＋−０．４Ｈｚとして決定する工程、前記適応フィルタ（５５、５６）を用いて、前記４番目及び５番目の主成分を濾波する工程、前記適応フィルタ（５５、５６）によって濾波された前記４番目及び５番目の主成分の最小値及び最大値を決定する工程、及び呼吸数を決定する工程を含むことにより、前記適応フィルタ（５５、５６）の通過帯域を決定することを特徴とする請求項５に記載の方法。
【請求項７】
前記主成分のピークを測定する工程が、サビツキー・ゴーレイタイプのフィルタ（６０、６１）を用いて、前記４番目及び５番目の四元数を濾波する工程を含んでいることを特徴とする請求項５に記載の方法。
【請求項８】
前記適応フィルタ（５５、５６）によって濾波された前記４番目及び５番目の四元数の最小値及び最大値を決定する工程が、サビツキー・ゴーレイタイプのフィルタ（６０、６１）を用いて前記４番目及び５番目の四元数を濾波する工程を含むことを特徴とする請求項５に記載の方法。
【請求項９】
前記主成分のスペクトル密度のピークを決定する工程が、前記主成分のピーク間の差異を計算し、逆数を算出することにより算定された限界周波数より上のスペクトル密度のピークを決定する工程を含むことを特徴とする請求項５に記載の方法。
【請求項１０】
前記適応フィルタ（５５、５６）を用いて、前記４番目及び５番目の主成分を濾波する工程の前に、前記３番目の四元数のスペクトル密度のピークを決定する工程と、前記ピークの周波数を中心に合わせたノッチタイプのフィルタを用いて、前記１番目及び２番目の四元数を濾波する工程を含むことを特徴とする請求項５に記載の方法。
【請求項１１】
前記４番目及び５番目の四元数（４５、４６）の主成分を決定する工程の前に、４番目及び５番目の四元数（４３、４４）の各成分からベースラインを除去する工程であって、前記ベースラインが、移動平均フィルタを用いて計算される工程を含むことを特徴とし、前記移動平均フィルタの窓の大きさが、可変であり、基準センサ（１２）に対応する３番目の四元数（４２）の信号によって検知される活動に応じて変化することを特徴とする請求項５に記載の方法。
【発明の詳細な説明】
【技術分野】
【０００１】
本発明は、呼吸数を連続的にモニタリングする着用可能な装置及び対応する方法に関する。
【背景技術】
【０００２】
呼吸数は、人間の健康に関する重要な情報をもたらす予後の基本的要因である。心臓及び肺の多くの病的状態、特に、肺炎及び心拍停止は、呼吸数に影響を及ぼすので、呼吸数を長時間にわたってモニタリングすることにより、予知できることがある。
【０００３】
今のところ、病院環境においても在宅でも、日々の活動中、呼吸数の長期間にわたる測定に適した正確な装置は存在しない。
【０００４】
従来の研究は、１個の加速度計、及び胸郭又は腹腔(胸部又は腹部)に取り付けた、複雑化したシステムを用いた呼吸数推定の実行可能性を例証している。しかしながら、これらのシステムには、限界がある。すなわち、それらのシステムは、動的状態においては、例えば患者が歩いている時には、使用することができない。そのため、それらのシステムは、日々の活動中における呼吸数の連続的なモニタリングを提供することができないという難点がある。
【発明の概要】
【発明が解決しようとする課題】
【０００５】
本発明の目的は、信頼性のある測定を保証する呼吸数の連続モニタリング用の着用可能な装置を提供することである。
【０００６】
本発明の他の目的は、エラーのない測定を保証する装置を提供することである。
【課題を解決するための手段】
【０００７】
本発明によれば、上記の目的及びさらに別の目的が、
患者の呼吸数を連続的にモニタリングする着用可能な装置であって、
３個の慣性センサであって、１個目の慣性センサは、腹部に配置され、２個目の慣性センサは、胸部に配置され、３個目の、慣性基準センサは、呼吸運動の影響を受けない身体の部分に、胴体に対して定位となるように配置されている３個の慣性センサを備えた装置によって達成される。各慣性センサは、加速度計、磁力計及びジャイロスコープを備えている。各慣性センサは、前記加速度計、磁力計及びジャイロスコープに接続されたマイクロプロセッサを備えている。前記マイクロプロセッサは、送信機に接続されており、信号を処理して、地球の基準系に対する前記３個の慣性センサの向きを示す四元数で表される信号を前記送信機に送るように構成されている。コントロールセンタに接続された受信機が、１個目の慣性センサの腹部四元数、２個目の慣性センサの胸部四元数及び３個目の慣性センサの基準四元数を受信して、それらの四元数を前記コントロールセンタに送信するように構成されている。前記コントロールセンタは、受信した四元数を、基準四元数が腹部四元数及び胸部四元数の基準となるように処理をするよう構成されており、前記コントロールセンタは、腹部四元数及び胸部四元数で表される信号を濾波して患者の動きと関連する残留成分を除去するバンドパス適応フィルタを備えている。コントロールセンタは、濾波された腹部四元数及び濾波された胸部四元数で表される信号から呼吸数を計算するように構成されている。
【０００８】
上記の目的は、さらに、患者の呼吸数を連続的にモニタリングする方法であって、
１番目の慣性センサを腹部に配置する工程と、２番目の慣性センサを胸部に配置する工程と、３番目の慣性基準センサを呼吸運動の影響を受けない身体の部分に配置する工程を含み、これらの工程においては、各慣性センサが加速度計、磁力計及びジャイロスコープとともに前記加速度計、磁力計及びジャイロスコープからの信号を受信するマイクロプロセッサを備えており、前記マイクロプロセッサ各々が、前記信号を処理し、地球の基準系に対する前記３個の慣性センサの向きを示す四元数によって表される信号をもたらし、さらに前記１番目の慣性センサの空間的向きを表す１番目の四元数をコントロールセンタに送る工程と、前記２番目の慣性センサの空間的向きを表す２番目の四元数を前記コントロールセンタに送る工程と、前記３番目の慣性センサの空間的向きを表す３番目の四元数を前記コントロールセンタに送る工程と、前記１番目の四元数及び前記２番目の四元数の向きを、前記３番目の四元数を基準として関連付けて、それぞれ４番目の四元数及び５番目の四元数をもたらす工程と、前記４番目及び５番目の四元数を、バンドパス適応フィルタによって濾波し、患者の動きと関連する残留成分を除去する工程と、前記４番目及び５番目の四元数から呼吸数を計算する工程を含む方法によって達成される。
【０００９】
本発明の更なる特徴は、従属請求項に記載されている。
【００１０】
先行技術の解決手段に勝る本発明の解決手段の利点は、多様である。
【００１１】
本発明によるシステムは、呼吸運動に影響されない身体の部位（例えば、尾骨）に配置される基準ユニットの存在を活用している。胸部及び腹部に配置される慣性ユニットは、呼吸成分及び（例えば、歩いている時の）呼吸以外の成分を検知する。胸部ユニット及び腹部ユニットによって記録されたデータを、四元数間のベクトル積の演算により、基準ユニットを基準として設定することにより、呼吸成分だけを考慮している。このようにして、胸部ユニット及び腹部ユニットの向きを、もはや地球の基準システムを基準とすることなく、基準ユニットの基準システムを基準としている。さらに、適応フィルタを、胸部及び腹部ユニットに適応して基準ユニットによって検知される歩行に伴い周波数を除去することもできる。したがって、基準ユニットの存在は、動いている装置の使用に関連する問題を解決するものである。これに加え、胸腹壁に付した、一方は胸部、もう一方は腹部に付した２個のユニットの存在が、胸腹壁の２自由度特性を考慮することを可能にするものである。
【００１２】
本発明の特徴及び利点は、添付図面に非限定の例示として示された本発明の実施の形態の以下に述べる詳細な説明より明らかとなる。
【図面の簡単な説明】
【００１３】
【図１】本発明による呼吸数を連続的にモニタリングする着用可能な装置を着用した人体模型の概略図である。
【図２】本発明による呼吸数を連続的にモニタリングする着用可能な装置のセンサの概略図である。
【図３】本発明による呼吸数を連続的にモニタリングする着用可能な装置の受信機の概略図である。
【図４】本発明による呼吸数の連続モニタリングに関して行われる工程のフローチャートの概略図である。
【図５】本発明による呼吸数を連続的にモニタリングする着用可能な装置の容器の概略図である。
【発明を実施するための形態】
【００１４】
添付図面を参照すると、本発明による呼吸数を連続的にモニタリングする着用可能な装置は、各々加速度計、ジャイロスコープ及び磁力計からなる３個の慣性ユニット１０、１１、１２を備えている。慣性ユニット１１は、腹部１３に、慣性ユニット１０は、胸部１４に配置され、それぞれ胸部運動分と腹部運動分に分けられる胸腹壁の動きを記録する。３個目の慣性ユニット１２は、呼吸運動に影響されない身体の部分に配置されるが、胴体に対しては固定されており、他の２個の慣性ユニットの基準として機能する。これは、半静的状態（患者が車椅子に座っている）及び動的状態（例えば、歩いている場合）において、呼吸のみに関連する運動情報を推定するのに特に重要である。３個目の慣性ユニットは、例えば、骨盤（上腸骨棘１５又は尾骨の近くの他の場所）の高さに配置するのがよい。また、説明しているモジュール構成は、必要及び被験者の状態に応じて慣性ユニットの数を変えることもでき、例えば、静的な状態においては基準ユニットを使用しなくてもよく、そのほか、データ収集又は更なる基準用にセンサを追加してもよい。
【００１５】
各慣性ユニット１０乃至１３は、３個のユニットからなるセンサ２０を備えている。１個目のユニットは、（重力を測定することにより）地球に対する１個目のユニットの位置又は三次元空間における１個目のユニットの加速度を特定する典型的な三軸加速度計である。
【００１６】
２個目のユニットは、最も強い磁力の方向を特定することができ、一般に磁北を検知するのに使用される三軸磁力計である。
【００１７】
３個目のユニットは、回転及び捩れを測定することのできる三軸ジャイロスコープである。
【００１８】
これらのセンサからもたらされるデータを組み合わせることにより、センサの正しい向きを把握することができる。
【００１９】
センサは、例えば、エス・ティー・マイクロエレクトロニクス社（ＳＴＭｉｃｒｏｅｌｅｃｔｒｏｎｉｃｓ）により販売されているコンポーネントＬＳＭ９ＤＳ０を用いたものである。
【００２０】
各慣性ユニット１０乃至１３は、さらに、例えばアトメル社（Ａｔｍｅｌ）により販売されているＡＴＭＥＧＡ３２８ｐタイプのアルディーノ・プロ・ミニタイプ又はその他のマイクロプロセッサ２１を備えており、このマイクロプロセッサは、センサ２０から来る信号を受信し、それらの信号を、例えば、レアード社（Ｌａｉｒｄ）により販売されているモデルＢＬ６００、ブルートゥース（Ｂｌｕｅｔｏｏｔｈ）タイプのものである送信機２２に送る。
【００２１】
各慣性ユニット１０乃至１３は、電池２３により電気を供給されている。
【００２２】
全ての構成要素は、患者の身体に取り付けることができる、寸法の小さい容器２５に収容されている。
【００２３】
患者の身体への取り付けは、心電図用の使い捨て粘着電極２６を用いて行われるが、それらの使い捨て粘着電極の導電性電極としての性質を利用することなしに、それらの使い捨て粘着電極を機械的な固定手段としてのみ使用している。
【００２４】
各慣性ユニット１０乃至１３は、使い捨て粘着電極２６にあるクリップに連結させることのできるフック要素２７を備えている。
【００２５】
固定の安定性を高めるため、容器２５には、患者の身体上に互いに近く配置された３個の粘着電極に連結させる３個のフック要素２８が備わっている。
【００２６】
送信機２２は、受信したデータを、コントロールセンタ３１に接続された、例えばＢＬ６２０タイプの受信機３０に送信する。コントロールセンタは、データを記録し、それらのデータを処理し、処理したデータをスクリーンに表示するコンピュータ又はタブレット又はスマートフォンでよい。
【００２７】
他の実施の形態では、慣性ユニット１０及び１１の送信機２２は、センサから受信したデータを３個目の慣性ユニット１２に送信する。この実施の形態の場合には、慣性ユニット１２は、受信機も備え、この受信機は、３個の慣性ユニットのデータをコントロールセンタ３１に送信する。３個目の慣性ユニット１２は、さらにデータを保存するメモリを備えていてもよく、この場合には、データをコントロールセンタ３１に送信しなくてもよい。
【００２８】
センサから、特に基準センサ１２から得られる情報に基づき、被験者の行動に関する情報を推定し、静的期間（例えば、被験者が座っている又は休んでいるとき）と動的期間（例えば、被験者が歩いている又は走っているとき）とを識別できることが銘記さるべきである。
【００２９】
各々の慣性ユニット１０、１１及び１２のマイクロプロセッサ２１は、所定の時点においてサイクリック・コマンドをセンサ２０に送り、加速度計（ａｘ、ａｙ、ａｚ）、磁力計（ｍｘ、ｍｙ、ｍｚ）及びジャイロスコープ（ｇｘ、ｇｙ、ｇｚ）の測定信号を受信する。
【００３０】
マイクロプロセッサ２１は、受信したデータを処理し、出力において、地球の重力／磁気基準系に対する空間における慣性ユニットの向きを刻々と（４０Ｈｚ）示す四元数をもたらす。
【００３１】
特に、下記の数１に示す四元数は、基準系Ａに対する基準系Ｂの向きを示し、下記の数２に示す４個の成分からなっている：
【００３２】
【数１】
2020526341.tif 000003
【００３３】
【数２】
2020526341.tif 000004
【００３４】
このようにして計算された四元数は、次いで送信機２２によって１０Ｈｚの周波数で受信機３０に送られる。受信機３０は、３個の慣性ユニット１０乃至１２からデータを受信する。
【００３５】
３個のセンサユニット（腹部ユニット、胸部ユニット及び基準ユニット）のデータは、５秒ずつ遅延し、次の段階で再び同期化される。
【００３６】
コントロールセンタ３１は、正確なタイミングで計時された交互の態様で、ユニット間の接続を取り扱い、これが、種々のユニットから来るデータの同期化を可能にしている。腹部ユニットの下記の数３で示す向き４０及び胸部ユニットの下記の数４で示す向き４１は、四元数同士のベクトル積の演算により、基準ユニットの下記の数５で示す向き４２と関連付けられ、腹部の下記の数６で示す四元数４３と胸部の下記の数７で示す四元数４４をもたらす（下記の数８を参照）。
【００３７】
【数３】
2020526341.tif 000005
【００３８】
【数４】
2020526341.tif 000006
【００３９】
【数５】
2020526341.tif 000007
【００４０】
【数６】
2020526341.tif 000008
【００４１】
【数７】
2020526341.tif 000009
【００４２】
【数８】
2020526341.tif 000010
【００４３】
このようにして得られる各四元数（腹部四元数、胸部四元数）の４個の成分は全て、程度は異なるが、呼吸情報を含んでいる。
【００４４】
この理由で、実行されるアルゴリズムは、四元数の４個の成分に関する主成分分析（ＰＣＡ）を用いている。
【００４５】
ＰＣＡの第１の成分は、呼吸情報の大部分を蓄えており、腹部及び胸部に関して選択され、次の処理演算に用いられる。
【００４６】
ＰＣＡは、直交変換に基づく統計的手法であり、直交変換は、あり得る相関する変数の集合から始まって、主成分と呼ばれる線形的に相関していない変数の集合をもたらす。この直交変換の特徴は、第１の主成分がデータの最大ばらつきを表し、以下の成分各々が、前の成分に対して直交している（すなわち、前の主成分と相関していない）という制約下での最大限あり得るばらつきを示している。その結果、腹部の主成分４５及び胸部の主成分４６が計算される。
【００４７】
歩いている又は走っている時のような、リズミカルで反復的な動きの場合には、主成分４５及び４６の信号をノッチタイプのフィルタによって濾波し、（歩いている又は走っている間に）基準ユニットに検知された患者の動きと関連する残留成分を除去することが好ましい。ノッチフィルタは、第３の四元数の信号に関して計算されるスペクトルのピークの周波数に合わせて設定される。残留運動が、反復タイプのものでなく、したがって、ノッチフィルタによって除去することができない場合には、主成分分析の手前に、信号４３及び４４から、（第３の四元数の信号に応じて、すなわち、被験者の活動に応じて大きさを変えることのできる窓を有する）移動平均フィルタを用いて計算された信号ベースラインを取り除く過程を入れることができる。ノッチフィルタによって濾波された又は濾波されていない主成分は、次いで、それぞれ、例えば３次のサビツキー・ゴーレイ（Ｓａｂｉｔｚｋｙ−Ｇｏｌａｙ）タイプのＦＩＲフィルタ４７及び４８にかけられる。このフィルタは、局所最小二乗多項式近似に基づいており、波形のピークの形状及び高さを変えることなしに、信号におけるノイズを減らすことができる。
【００４８】
このようにして均された信号に関し、ピークが検出され、各々のピーク間の距離が計算される。
【００４９】
逆数を算出することにより、一群の周波数が得られ、それらの周波数から、平均値及び標準偏差（ｆｍｅａｎ、ｆｓｔｄ）が計算される。
【００５０】
これは、近似周波数であり、この近似周波数から、以下の式を適用することにより、一方は腹部信号に関し、もう一方は胸部信号に関する限界周波数（ｆｔｈｒｅｓｈ）が計算される。
【００５１】
ｆｔｈｒｅｓｈ＝ｍａｘ（０．０５、（ｆｍｅａｎ−ｆｓｔｄ））
これら２個の限界周波数のうちの低い方が、最終的な限界周波数５０として選択される。
【００５２】
胸部及び腹部に関する２個の信号のパワースペクトル密度が、（５０サンプルがオーバーラップされた３００サンプルのハミング窓を用いた）ウェルチ（Ｗｅｌｃｈ）法により計算される。
【００５３】
スペクトル内において、先に決定された限界周波数後の最大ピークが選択され、対応する周波数が、下流のバンドパスフィルタの所望の中心周波数（ｆｃｅｎｔｒ）である。
【００５４】
最大ピークの周波数は、呼吸信号の主周波数に相当する。
【００５５】
用いられる（一次のバターワース（Ｂｕｔｔｅｒｗｏｒｔｈ）タイプの）２個のフィルタのカットオフ周波数５３及び５４が、ここで＋−０．４Ｈｚを適用することにより、決定される。
【００５６】
【数９】
2020526341.tif 000011
【００５７】
【数１０】
2020526341.tif 000012
【００５８】
胸部信号用のバンドパスフィルタ５５及び腹部信号用のバンドパスフィルタ５６に適用されるのは、腹部の主成分４５及び胸部の主成分４６において計算されたフィルタ周波数限界５３及び５４である。
【００５９】
通常、バンドパスフィルタ５５及び５６の通過帯域は、０．０５〜２Ｈｚである。
【００６０】
バンドパスフィルタ５５及び５６は、患者の動きに関連する残留成分の両方の信号からの除去を可能にするものである。
【００６１】
バンドパスフィルタは、患者ごとに異なり、特に、患者毎に異なる運動活性に応じて異なる運動の残留成分を除去する適応型のものである。
【００６２】
２個の信号が、サビツキー・ゴーレイタイプのフィルタ６０及び６１に再びかけられ、このサビツキー・ゴーレイタイプのフィルタを用いて、腹部及び胸部信号の両方に関する最大及び最小点６２が決定される。これらの最大点及び最小点は、呼気の終止点及び吸気の終止点を同定するものである。胸部信号及び腹部信号を加算して総信号を得てもよい。
【００６３】
サビツキー・ゴーレイフィルタのパラメータ及び最大点と最小点の決定に用いた（時間及び振幅の）閾値は、腹部及び胸部に関して決定された中心周波数ｆｃｅｎｔｒ５２及び５３に基づいて最適化される。
【００６４】
最終的に、目的とするパラメータが、腹部信号、胸部信号及び総信号に関する呼気の終止点及び吸気の終止点、呼吸数、吸気時間及び呼気時間に基づいて、符号６３で示す段階で推定される。
【００６５】
総呼吸時間Ｔｔｏｔが、２個の最小点間の距離として計算される。
【００６６】
吸気時間Ｔｉは、ある最小点と次の最大点との間の時間として計算される。
【００６７】
呼気時間Ｔｅは、ある最大点と次の最小点との間の時間として計算される。
【００６８】
呼吸頻度は、総呼吸時間Ｔｔｏｔの逆数として計算される。
【００６９】
それらの値は、記録され、スクリーンに表示される。
【図１】
2020526341.tif 000013
【図２】
2020526341.tif 000014
【図３】
2020526341.tif 000015
【図４】
2020526341.tif 000016
【図５】
2020526341.tif 000017
【手続補正書】
【提出日】令和2年4月3日(2020.4.3)
【手続補正１】
【補正対象書類名】特許請求の範囲
【補正対象項目名】請求項１１
【補正方法】変更
【補正の内容】
【請求項１１】
前記４番目及び５番目の四元数（４３、４４）の主成分を決定する工程の前に、４番目及び５番目の四元数（４３、４４）の各成分からベースラインを除去する工程であって、前記ベースラインが、移動平均フィルタを用いて計算される工程を含むことを特徴とし、前記移動平均フィルタの窓の大きさが、可変であり、基準センサ（１２）に対応する３番目の四元数（４２）の信号によって検知される活動に応じて変化することを特徴とする請求項５に記載の方法。
【手続補正２】
【補正対象書類名】明細書
【補正対象項目名】０００８
【補正方法】変更
【補正の内容】
【０００８】
上記の目的は、さらに、患者の呼吸数を連続的にモニタリングする方法であって、
１番目の慣性センサを腹部に配置する工程と、２番目の慣性センサを胸部に配置する工程と、３番目の慣性基準センサを呼吸運動の影響を受けない身体の部分であるが、胴体に対して定位となるように配置する工程を含み、これらの工程においては、各慣性センサが加速度計、磁力計及びジャイロスコープとともに前記加速度計、磁力計及びジャイロスコープからの信号を受信するマイクロプロセッサを備えており、前記マイクロプロセッサ各々が、前記信号を処理し、地球の基準系に対する前記３個の慣性センサの向きを示す四元数によって表される信号をもたらし、さらに前記１番目の慣性センサの空間的向きを表す１番目の四元数をコントロールセンタに送る工程と、前記２番目の慣性センサの空間的向きを表す２番目の四元数を前記コントロールセンタに送る工程と、前記３番目の慣性センサの空間的向きを表す３番目の四元数を前記コントロールセンタに送る工程と、前記１番目の四元数及び前記２番目の四元数の向きを、前記３番目の四元数を基準として関連付けて、それぞれ４番目の四元数及び５番目の四元数をもたらす工程と、前記４番目及び５番目の四元数を、バンドパス適応フィルタによって濾波し、患者の動きと関連する残留成分を除去する工程と、前記４番目及び５番目の四元数から呼吸数を計算する工程を含む方法によって達成される。
【手続補正３】
【補正対象書類名】明細書
【補正対象項目名】００１５
【補正方法】変更
【補正の内容】
【００１５】
各慣性ユニット１０乃至１２は、３個のユニットからなるセンサ２０を備えている。１個目のユニットは、（重力を測定することにより）地球に対する１個目のユニットの位置又は三次元空間における１個目のユニットの加速度を特定する典型的な三軸加速度計である。
【手続補正４】
【補正対象書類名】明細書
【補正対象項目名】００２０
【補正方法】変更
【補正の内容】
【００２０】
各慣性ユニット１０乃至１２は、さらに、例えばアトメル社（Ａｔｍｅｌ）により販売されているＡＴＭＥＧＡ３２８ｐタイプのアルディーノ・プロ・ミニタイプ又はその他のマイクロプロセッサ２１を備えており、このマイクロプロセッサは、センサ２０から来る信号を受信し、それらの信号を、例えば、レアード社（Ｌａｉｒｄ）により販売されているモデルＢＬ６００、ブルートゥース（Ｂｌｕｅｔｏｏｔｈ）（登録商標）タイプのものである送信機２２に送る。
【手続補正５】
【補正対象書類名】明細書
【補正対象項目名】００２１
【補正方法】変更
【補正の内容】
【００２１】
各慣性ユニット１０乃至１２は、電池２３により電気を供給されている。
【手続補正６】
【補正対象書類名】明細書
【補正対象項目名】００２４
【補正方法】変更
【補正の内容】
【００２４】
各慣性ユニット１０乃至１２は、使い捨て粘着電極２６にあるクリップに連結させることのできるフック要素２７を備えている。
【国際調査報告】
2020526341.tif 000018
2020526341.tif 000019
2020526341.tif 000020